(57)【特許請求の範囲】
【請求項１】
焦点距離可変の撮影光学系と、該撮影光学系が所定の焦点距離以下の焦点距離に設定されたことを受けて、最大開口が、該撮影光学系が所定の長焦点距離に設定されたときの第１の最大開口よりも絞られた第２の最大開口に規制される絞りとを備え、該撮影光学系および該絞りを経由して入射した被写体光を捉えることにより撮影を行うカメラにおいて、
被写界輝度を測定する測光部と、
前記測光部で測定された被写界輝度が所定の被写界輝度以下の被写界輝度である場合に、前記絞りの開口規制を解除し、該絞りを、前記測光部で測定された被写界輝度に応じて、前記第１の最大開口を含む該第１の最大開口と前記第２の最大開口との間の開口に設定する絞り制限解除部とを有することを特徴とするカメラ。
【請求項２】
前記絞り制限解除部は、前記絞りの開口規制を解除したときは、該絞りを前記第１の最大開口に設定するものであることを特徴とする請求項１記載のカメラ。
【請求項３】
このカメラは、写真感光体が装填され装填された写真感光体上に撮影を行なうものであることを特徴とする請求項１記載のカメラ。
【発明の詳細な説明】
【０００１】
【発明の属する技術分野】
本発明は、撮影光学系を経由して入射した被写体光を捉えることにより撮影を行なうカメラに関する。
【０００２】
【従来の技術】
従来より、焦点距離可変の撮影光学系、例えばズームレンズを備えた、写真フィルム上に写真撮影を行うカメラが知られている。ズームレンズを備えたカメラでは、焦点距離を変化させることにより像倍率を変化させる、いわゆるズーミング機能により、例えば遠くの被写体を大きく撮影できるなど、単焦点レンズを備えたカメラによる撮影と比べ、より多彩なフレーミングが可能である。
【０００３】
ところで、ズームレンズを備えたカメラにおける絞りの最大開口は、そのカメラの設計時に、そのズームレンズが長焦点距離に設定されたときの焦点距離およびそのズームレンズのＦ値に基づいて決定される。ところが、そのカメラにおいてズームレンズが短焦点距離に設定された場合に、絞りを最大開口に開いて写真撮影を行うと、写真画角内の中心部の光量に比べ周辺部の光量が低下し、撮影された写真の周辺部、特に四隅が暗い描写となってしまう。この周辺光量の低下は、絞りを解放の状態から１段〜２段程度絞ることにより解決されることが知られている。
【０００４】
そこで、ズームレンズを備えたカメラでは、ズームレンズが短焦点距離に設定された場合に、上述した最大開口よりも絞られた開口に規制する開口規制機構を備えた絞りを採用することにより、上述した周辺光量が低下するという問題を解消している。
【０００５】
絞りを変更するという点に関しては、予備撮影を行なった結果に応じて絞りを変更するものがある（例えば、特許文献１参照。）。
【０００６】
【特許文献１】
特開平１０−１５０５９８号公報
【０００７】
【発明が解決しようとする課題】
ここで、一般的に、焦点距離３０ｍｍ程度の撮影レンズを備えたカメラでは、シャッタスピードが１／３０秒の場合が、三脚等の固定器具を用いることなく、すなわち手ぶれの影響を受けずに撮影ができる最も遅いシャッタスピードと言われている。
【０００８】
しかし、上述した周辺光量の低下を防ぐために、絞り開口規制機構を備えたカメラでは、ズームレンズを短焦点距離に設定することにより、絞りが最大開口よりも絞られた開口に規制され、暗所で写真撮影を行うと、暗い描写の撮影となる。このような場合に明るい描写の撮影を実現するには、シャッタスピードを遅くすることにより対応可能であるが、シャッタスピードを１／３０秒より遅くすると、手ぶれを防止するために三脚等の固定器具が必要となる。
【０００９】
本発明は、上記事情に鑑み、暗所での撮影において、明るい描写の撮影が可能なカメラを提供することを目的とする。
【００１０】
【課題を解決するための手段】
上記目的を達成する本発明のカメラのうちの第１のカメラは、
焦点距離可変の撮影光学系と、この撮影光学系が所定の焦点距離以下の焦点距離に設定されたことを受けて、最大開口が、この撮影光学系が所定の長焦点距離に設定されたときの第１の最大開口よりも絞られた第２の最大開口に規制される絞りとを備え、この撮影光学系およびこの絞りを経由して入射した被写体光を捉えることにより撮影を行うカメラにおいて、
被写界輝度を測定する測光部と、
上記測光部で測定された被写界輝度が所定の被写界輝度以下の被写界輝度である場合に、上記絞りの開口規制を解除し、この絞りを、上記測光部で測定された被写界輝度に応じて、上記第１の最大開口を含むこの第１の最大開口と上記第２の最大開口との間の開口に設定する絞り制限解除部とを有することを特徴とする。
【００１１】
一般に夜景を撮影する場合など、暗所での撮影の場合、周辺光量の低下が問題になることはほとんどない。本発明は、この点に鑑み完成されたものであり、所定の被写界輝度以下の被写界輝度である場合に絞りの開口規制を解除し、この絞りを、測光部で測定された被写界輝度に応じて撮影レンズが所定の長焦点距離に設定されたときの最大開口を含むこの最大開口と、この最大開口よりも絞られた最大開口との間の開口に設定するものであるため、周辺光量の低下が問題にならないような暗所での撮影においては、固定器具を用いなくても明るい描写の撮影が可能なカメラが実現される。
【００１２】
ここで、上記絞り制限解除部は、上記絞りの開口規制を解除したときは、この絞りを上記第１の最大開口に設定するものであってもよい。
【００１３】
上記第１の最大開口に設定すると、第１の最大開口と第２の最大開口との中間の開口に規制する機構は不要であり、その分絞りの構造が単純になる。
【００１４】
また、上記絞り制限解除部は、上記測光部で測定された被写界輝度がＬＶ６以下の範囲内において設定された所定の被写界輝度以下の場合に上記絞りの開口規制を解除するものであることも好ましい態様である。
【００１５】
このように、絞りの開口規制を解除する被写界輝度を、室内における撮影時の被写界輝度よりも暗い被写界輝度であるＬＶ６以下の範囲内において設定された被写界輝度とすることが好ましい。
【００１６】
また、このカメラは、写真感光体が装填され装填された写真感光体上に撮影を行なうものであることが好ましい。
【００１７】
本発明は、明るいところでの撮影では周辺光量の低下が目立つような絞り開口であっても夜景の撮影の場合は問題にならないことに着目した発明であり、、デジタルカメラの場合は、撮影後の画像データ上で周辺光量の低下を画像処理で補正するという手段もあるが、写真感光体上に撮影を行なうタイプのカメラの場合、周辺光量の低下を補正することはできず、したがって、本発明は、写真感光体上に撮影を行なうタイプのカメラに好適である。ただし、デジタルカメラの場合であっても本発明を適用することによりわざわざ周辺光量の低下を画像処理で補正するという必要がなくなるという利点がある。
【００１８】
上記目的を達成する本発明のカメラのうちの第２のカメラは、
撮影光学系と、所定の第１の最大開口にまで開く絞りであって、最大開口がこの第１の最大開口よりも絞られた所定の第２の最大開口に規制される絞りとを備え、この撮影光学系およびこの絞りを経由して入射した被写体光を捉えることにより撮影を行なうカメラにおいて、
被写界輝度を測定する測光部と、
上記測光部で測定された被写界輝度が所定の被写界輝度以下の被写界輝度である場合に、上記絞りの開口規制を解除し、この絞りを、上記測光部で測定された被写界輝度に応じて、上記第１の最大開口を含むこの第１の最大開口と上記第２の最大開口との間の開口に設定する絞り制限解除部とを有することを特徴とする。
【００１９】
上記第２のカメラによれば、所定の被写界輝度以下の被写界輝度である場合に絞りの開口規制を解除し、この絞りを、測光部で測定された被写界輝度に応じた最大開口と、この最大開口よりも絞られた最大開口との間の開口に設定するものであるため、明るいところでの撮影では周辺光量の低下を抑えた上で、暗所での撮影において、固定器具を用いなくても明るい描写の撮影が可能な範囲が広がる。
【００２０】
【発明の実施の形態】
以下、本発明の実施形態について説明する。
【００２１】
図１は、本発明の一実施形態の、焦点距離可変の撮影光学系の一例であるズームレンズを搭載したカメラであって、そのズームレンズを支持するズーム鏡胴がカメラ本体に収納されている沈胴状態を示す斜視図、図２は、図１に示すカメラであって、ズーム鏡胴が最大限繰り出されている最大繰出状態を示す斜視図である。
【００２２】
図１，図２に示すカメラ１０は、図示しない写真フィルム上に写真撮影を行うカメラである。
【００２３】
このカメラ１０の前面中央部には、ズームレンズ１１ａを内部に備えたズーム鏡胴１１が備えられている。また、このカメラ１０の前面上部には、フラッシュ発光窓１２、ファインダ対物窓１３、オートフォーカス（ＡＦ）用の発光素子が内蔵されたＡＦ投光窓１４ａ、このＡＦ投光窓１４ａから投光され被写体で反射して戻ってきた光を受光する受光素子が内蔵されたＡＦ受光窓１４ｂ、および内蔵された露出調整用のＡＥセンサ１５１に光を導く、被写界輝度（Ｌｉｇｈｔ  Ｖａｌｕｅ：以下、これをＬＶ値と称する）測定用のＡＥ受光窓１５が配備されている。
【００２４】
また、このカメラ１０の上面には、シャッタボタン１６と、回転式のセレクトダイヤル２４とが備えられている。このセレクトダイヤル２４を回し、セレクトダイヤル２４上に印刷された指標を、カメラ１０の上面に印刷されたモードに合わせることにより、図１，図２に示すＯＦＦ状態のほか、プログラムモード（Ｐ）に切り替えることができる。
【００２５】
図３は、図１，図２に示すカメラを背面斜め上から見た斜視図である。
【００２６】
このカメラ１０の背面には、ファインダ接眼窓１７およびズーム操作レバー１８が配備されている。このズーム操作レバー１８の一方の操作部１８ａを押すと、押し続けている間、ズーム鏡胴１１が図１に示す沈胴状態から図２に示す最大繰出状態に向かって移動し、ズーム操作レバー１８のもう一方の操作部１８ｂを押すと、押し続けている間、ズーム鏡胴１１が図２に示す最大繰出状態から図１に示す沈胴状態に向かって移動する。
【００２７】
また、このカメラ１０の背面には、写真フィルムが収められた、図示しないパトローネがこのカメラ１０に装填された場合に、この写真フィルムを保護するための裏蓋２０が備えられている。このカメラ１０の側面には、この裏蓋２０を開けるための裏蓋つまみ１９が備えられている。
【００２８】
また、このカメラ１０の内部には、フィルム給送室２１およびフィルム巻取室２２が設けられており、裏蓋つまみ２０により裏蓋２０を開けることにより、このフィルム給送室２１に、図示しないパトローネを装填する。また、このフィルム給送室２１の壁面には、ＤＸコード検出ピン２３が配備されており、パトローネに収められている写真フィルムのＩＳＯ感度等の情報が記憶されたＤＸコードが印刷されたパトローネを、フィルム給送室２１に装填して裏蓋２０を閉じることにより、ＤＸコード検出ピン２３によってＤＸコードが自動認識で読み取られ、このカメラ１０が、ＤＸコードに記憶されているＩＳＯ感度に設定される。
【００２９】
ＯＦＦ状態は、図示しない電池からカメラ１０に電力が供給されない状態であり、セレクトダイヤル２４を回してプログラムモード（Ｐ）に切り替えることにより、カメラ１０に電力が供給され、写真撮影を行うことが可能な状態となる。
【００３０】
プログラムモード（Ｐ）は、ＤＸコード検出ピン２３により設定されたＩＳＯ感度に応じて、後述する２つのプログラムの内のいずれかのプログラムが自動選択され、選択されたプログラムに従って、上述したＡＥセンサで測定されたＬＶ値に応じた、絞りとシャッタスピードの組み合わせが自動で設定され、設定された絞りとシャッタスピードの組み合わせに基づいて写真撮影を行うためのモードである。
【００３１】
図４は、本実施形態のカメラの内部ブロック図である。
【００３２】
図４には、カメラ１０全体の動作を制御するＣＰＵ１、後述するプログラム線図で表される参照テーブルが記憶されたＲＯＭ１２０、固定レンズ１１１ａと移動レンズ１１２ａで構成されるズームレンズ１１ａ、移動レンズ１１２ａを光軸方向に移動させるズームモータ１１０、絞り機構を兼ねるシャッタ機構３１、およびフォーカスレンズ３２が示されている。
【００３３】
シャッタ機構３１は、２枚のシャッタ羽根と、これらシャッタ羽根を駆動する駆動モータ３１３と、これらシャッタ羽根で形成される絞り開口を規制するピン３１６ａを突出するプランジャ３１６とで構成されている。
【００３４】
また、図４には、ズームモータ１１ｂ、駆動モータ３１３、およびプランジャ３１６の駆動をそれぞれ制御するドライバ３３０、フィルム２１ａが装填されたパトローネのＤＸコードを読み取るコードセンサ２００、半押し状態および全押し状態の２段構造を有するシャッタボタン１６、ＡＥセンサ１５１で検出された被写体輝度（ＬＶ値）に基づき露出を決定するＡＥ演算回路１５０、および、シャッタボタン１６あるいはズーム操作レバー１８に対する操作をＣＰＵに送信するＩ／Ｏコントローラ１００も示されている。
【００３５】
このカメラ１０では、ズーム操作レバーによるズーミングが終了し、被写体を画角の中央に捉えながらシャッタボタン１６が半押し状態にされると、フォーカスレンズ３２の光軸上の移動が行なわれると共に、ＡＥ演算回路１５０により露出が決定される。
【００３６】
ＡＥ演算回路１５０では、まず、ＡＥセンサ１５１で検出された輝度情報（ＬＶ値）と、コードセンサ２００によって既に検出されている、このカメラに装填されているフィルムのＩＳＯ感度情報とに基づき露出値（Ｅｘｐｏｓｕｒｅ  Ｖａｌｕｅ：以下、これをＥＶ値と称する）が算出される。
【００３７】
さらに、ＡＥ演算回路１５０では、この算出した露出値（ＥＶ値）に基づき、ズームレンズ１１ａの現在の焦点距離に対応する、図７に示されるようなプログラム線図で表されるテーブルの参照が行なわれ、シャッタスピードが決定される。その後、シャッタボタンの全押しにより、このカメラ１０では決定されたシャッタスピードで写真撮影が行なわれ、このシャッタスピードに応じて絞りも定まる。尚、図４では、ＡＦ演算回路、フォーカシング機構、あるいはファインダ機構など、本発明と無関係なものの図示は省略されている。
【００３８】
図５は、従来より知られている、図示しない、ズームレンズを備えたカメラの、露出値（ＥＶ値）に応じた絞り値とシャッタスピードの組み合わせを定めたプログラムを示す、代表的なプログラム線図である。
【００３９】
この図５に示すプログラム線図の横軸はシャッタスピードを示し、縦軸は絞り値を示し、斜め線はＥＶ値を示す。
【００４０】
ここで、異なるＩＳＯ感度の写真フィルム同士を比較すると、一方のＩＳＯ感度の写真フィルムともう一方のＩＳＯ感度の写真フィルムとでシャッタスピードが等しく、かつ絞り値も等しい場合のＬＶ値とＥＶ値の関係は、ＩＳＯ感度１００の感度の写真フィルムの場合はＬＶ値とＥＶ値は等しい値となるが、適正光量を得るために必要な、写真フィルムに取り込む光の量は、写真フィルムのＩＳＯ感度の高低に反比例するため、写真フィルムの感度をＩＳＯ感度１００の感度に対して１段上げると、ＥＶ値もＬＶ値に対して１段上がる。例えば、ＩＳＯ感度１００の感度の写真フィルムを用いる場合にＬＶ値がＬＶ５の場合はＥＶ値がＥＶ５となるが、ＩＳＯ感度１００の感度の写真フィルムよりも３段高い感度のＩＳＯ感度８００の感度の写真フィルムを用いる場合はＬＶ値がＬＶ５の場合はＥＶ値がＥＶ８となる。
【００４１】
この図５に示すプログラム線図は、従来より知られているズームレンズを備えたカメラのワイド焦点距離の一例を示すものである。また、このカメラは絞り開口規制機構を備えたカメラでもあり、従来技術の欄で説明したように、ワイド時には周辺光量の低下の問題などから絞りの開口規制が入る。
【００４２】
図５に示す２つのプログラムの内の、実線で示すプログラムは、絞りの開口規制が設定されたプログラムであり、開口規制が入った絞り値はＦ４．５である。
【００４３】
また、もう一方の破線で示すプログラムは、絞りの開口規制が解除されるプログラムを示しており、絞り値はＦ２．８になる。もちろん開口規制を外すと周辺光量の低下が目立つようになるので屋外等の明るい場所の撮影で開口規制を外すことは行わない。
【００４４】
一方、夜景などの暗い場所の撮影では背景が暗くて周辺光量の低下が目立たないシーンが多い。このような場所の撮影では手ぶれを防ぐためにレンズのＦ値が小さくなることが望ましい。このため、本実施形態のカメラでは夜景のような暗い場所の撮影で開口規制を外すことにより明るい撮影を可能にする。
【００４５】
図６は、本実施形態のカメラに備えられた、開口規制が可能なシャッタ機構の概略図である。
【００４６】
図６に示す、絞り機構も兼ねるシャッタ機構３１は、２枚のシャッタ羽根３１１、３１２と、これら２枚のシャッタ羽根をつなぐ腕部材３１５と、ピン３１６ａを突出するプランジャ３１６と、絞り開口が最大にされた場合にシャッタ羽根３１２が当接する立設ピン３１７とで構成されている。
【００４７】
腕部材３１５は、駆動モータの３１３の回転軸が直結されている部分３１５ａを中心に回動する。
【００４８】
プランジャ３１６は、ピン３１６ａを突出させることで２枚のうちの一方のシャッタ羽根３１２の動作範囲を小さくする。これにより、２枚のシャッタ羽根によって形成される絞り開口の大きさが規制される
図６（ａ）には、この絞り開口３１ｃが完全に閉鎖されている様子が示されており、これは、駆動モータ３１３が反時計回りに回転軸を回転させることで実現されている。
【００４９】
図６（ａ）に示す状態から、駆動モータ３１３の回転軸を時計周りに回転することで、絞り開口３１ｃは、被写体輝度が暗いときには図６（ｂ）に示されるように最大に開口された状態となる。この最大開口（本実施形態のカメラではＦ値２．８）が、本発明にいう第１の最大開口に相当する。
【００５０】
シャッタ機構３１では、この最大絞り開口は、２枚のシャッタ羽根のうちの一方のシャッタ羽根３１２が前述した立設ピンに当接するまで絞り開口を大きくするように移動することによって形成される。
【００５１】
シャッタ機構３１は、ＡＥ演算回路で決定されたシャッタスピードでシャッタ羽根を開閉するが、このシャッタ羽根の開閉動作は、ＡＥ演算回路で決定されたシャッタスピードでシャッタ羽根の開閉が行なわれるように、ＣＰＵ１からの指示によりドライバ３３が駆動モータ３１３を制御して実現されている。尚、図６（ｃ）には、このシャッタ機構３１を右側から見た場合の図が示されており、この図６（ｃ）には、プランジャ３１６によって、ピン３１６ａが、立設ピン３１７に当接する方のシャッタ羽根３１２と接触する位置にまで突出されている様子が示されている。立設ピン３１７よりも内側（図６では左側）の位置でプランジャ３１６によって突出されるこのピン３１６ａについての詳細は後述する。
【００５２】
図７は、本実施形態のカメラにおける、露出値（ＥＶ値）に応じた絞り値とシャッタスピードの組み合わせを定めたプログラム線図である。
【００５３】
この図７に示すプログラム線図は、ズーム操作レバー１８（図３参照）の一方の操作部１８ｂを押すことによってズームレンズ１１ａが短焦点距離に設定された場合に、設定されたＩＳＯ感度に応じて使い分けられる６つのプログラムを示しており、このプログラム線図の横軸はシャッタスピードを示し、縦軸はズームレンズ１１ａの絞り値を示し、斜め線はＥＶ値を示す。
【００５４】
図７に実線または破線で示すプログラムは、ＩＳＯ５０〜ＩＳＯ１６００までの範囲の各フイルム感度における制御内容を示す。
【００５５】
図７に実線または破線で示すプログラムの内の、実線で示すプログラムは、ＩＳＯ１６００の場合のプログラムであり、ＥＶ９．５（ＬＶ５．５）までは、図５に実線で示す、絞りの開口規制が設定されたプログラム制御と同じ制御を行う。ＬＶ５．５は室内より暗いシーンであり、夜景のシーンになる。
【００５６】
この開口規制は、図６（ｃ）に示すように、プランジャ３１６がピン３１６ａを突出させ、このピン３１６ａの突出がなければ前述の立設ピン３１７の位置まで移動していたシャッタ羽根３１２の移動範囲をピン３１６ａの内側に規制することで行なわれている。このピン３１６ａが突出されると、絞り開口の最大開口は、図６（ａ）に示される大きさよりも多少狭められた大きさのものとなる。
【００５７】
本実施形態のカメラでは、ズームレンズ１１ａの焦点距離が短くなると、ＣＰＵ１からドライバに対し、絞り開口を規制するためにプランジャ３１６によるこのピン３１６ａの突出を行なうように指示が出されると共に、ズームレンズ１１ａの現在の焦点距離および開口規制に対応したテーブルを参照することでシャッタスピードが決定される。
【００５８】
また、本実施形態のカメラでは、被写界が徐々に暗くなったことを想定したとき、ズームレンズの焦点距離が短い場合でも、測定された被写界輝度がＬＶ５．５以下になると、突出していたピン３１６ａが引っ込むことで絞りの開口規制が解除され、絞り値がＦ４．５からＦ２．８に移動したあと、そのままシャッタスピードを遅くして露出制御が行なわれる。尚、開口規制により形成可能な開口のうちの最大開口（本実施形態のカメラではＦ値４．５）が、本発明の第２の最大開口に相当する。
【００５９】
ＩＳＯ１６００以外のＩＳＯ８００〜ＩＳＯ５０までのフイルムに対しては、図７に破線で示すように、それぞれ１ＥＶづつシャッタスピードの遅いほうにシフトした線図をたどり開口規制の解除が行なわれる。
【００６０】
以上説明したように、暗所による撮影では開口規制を解除しＦ値を小さくすることで明るい描写の撮影が実現される。本実施形態のカメラ１０では、フィルム感度がＩＳＯ１６００の場合、シャッタ速度が１／３０秒の露光量はＥＶ８となるので、シャッタ速度が１／３０秒以下で撮影可能な明るさはＬＶ４となる。図５に示す、被写界輝度とは無関係に開口規制がされる従来のカメラでシャッタ速度が１／３０秒以下で撮影可能な明るさは、ＩＳＯ１６００の場合ＥＶ９．５、すなわちＬＶ５．５であるので、本実施形態のカメラ１０によれば、従来に比べ、約１．５絞り分明るい写真を撮れる範囲が広がったことになる。ここでは、ＩＳＯ１６００を例に挙げたが、他の感度についても同様である。カメラの手ぶれ防止のため、シャッタ速度が１／３０秒以下にならないように制限する場合など暗い場所の撮影範囲を拡大することが可能になり三脚を用いなくても夜景をきれいに撮ることが可能になる。
【００６１】
尚、本実施形態では、ズームレンズを搭載したカメラの例で説明したが、本発明のカメラは、これに限られるものではなく、例えば、広角倍率もしくは望遠倍率のいずれかに切り替えて写真撮影を行うことが可能な撮影レンズを備えたカメラなど、焦点距離を広角側あるいは望遠側のいずれか一方に切り換え可能な撮影レンズを備えたカメラにも適用することができる。
【００６２】
また、本実施形態では、ズームレンズを搭載したカメラの例で説明したが、本発明のカメラは、撮影レンズが、ズーム機能を有しない単一焦点レンズを備えたものであってもよい。
【００６３】
さらに、本実施形態では、写真フィルムに撮影を行なう場合を例に挙げて説明したが、本発明は、これに限らず、固体撮像素子上に撮影を行なうものであってもよい。
【００６４】
【発明の効果】
以上説明したように、本発明によれば、周辺光量の低下が問題にならないような暗所での撮影において、明るい描写の撮影が可能なカメラが提供される。
【図面の簡単な説明】
【図１】本発明の一実施形態の、焦点距離可変の撮影レンズの一例であるズームレンズを搭載したカメラであって、そのズームレンズを支持するズーム鏡胴がカメラ本体に収納されている沈胴状態を示す斜視図である。
【図２】図１に示すカメラであって、ズーム鏡胴が最大限繰り出されている最大繰出状態を示す斜視図である。
【図３】図１，図２に示すカメラを背面斜め上から見た斜視図である。
【図４】本実施形態のカメラの内部ブロック図である。
【図５】従来より知られている、図示しない、ズームレンズを備えたカメラの、ＥＶ値に応じた絞り値とシャッタスピードの組み合わせを定めたプログラムを示す、代表的なプログラム線図である。
【図６】本実施形態のカメラに備えられた、開口規制が可能なシャッタ機構の概略図である。
【図７】本実施形態のカメラにおける、ＥＶ値に応じた絞り値とシャッタスピードの組み合わせを定めたプログラム線図である。
【符号の説明】
１  ＣＰＵ
１０    カメラ
１００  Ｉ／Ｏコントローラ
１１    ズーム鏡胴
１１ａ    ズームレンズ
１１ｂ  ズームモータ
１１１ａ  固定レンズ
１１２ａ  移動レンズ
１２    フラッシュ発光窓
１３    ファインダ対物窓
１４ａ    ＡＦ投光窓
１４ｂ    ＡＦ受光窓
１５    ＡＥ受光窓
１５０  ＡＥ演算回路
１５１  ＡＥセンサ
１６    シャッタボタン
１７    ファインダ接眼窓
１８    ズーム操作レバー
１８ａ、１８ｂ    操作部
１９    裏蓋つまみ
２０    裏蓋
２１    フィルム給送室
２１ａ  フィルム
２２    フィルム巻取室
２３    ＤＸコード検出ピン
２４    セレクトダイヤル
１２０  ＲＯＭ
２００  コードセンサ
３１  絞り機構
３１１、３１２  絞り羽根
３１ｃ  絞り開口
３１３  駆動モータ
３１５  腕部材
３１５ａ  部分
３１６  プランジャ
３１６ａ  軸
３２  フォーカスレンズ
３３０  ドライバ
【図１】
0004074799.tif 000002
【図２】
0004074799.tif 000003
【図３】
0004074799.tif 000004
【図４】
0004074799.tif 000005
【図５】
0004074799.tif 000006
【図６】
0004074799.tif 000007
【図７】
0004074799.tif 000008